(57)【要約】【課題】開封した圧着はがきをパンチ孔を明ける手数を掛けずにそのままファイリングできる圧着はがき作製装置及び被綴じ部付き圧着はがきの作成方法を提供する。【解決手段】用紙カセット１３から給紙された用紙Ｐに画像形成ユニット１９ｍ〜１９ｋでフルカラー印字を行い、両面印刷用搬送ユニット５０で逆送して両面印刷を行った後、再び両面印刷用搬送ユニット５０で逆送し、次に粉体接着剤を収容した画像形成ユニット１９Ｂと両面印刷用搬送ユニット５０により表裏の所定面に接着剤を塗布し定着装置３９で定着し、パンチ孔形成部６０で所定の箇所にパンチ孔を明け、折込部７０で二つ折り又は三つ折りし、圧着装置８４で圧着し、刃付きローラ８６及び圧接ローラ８７から成るスプリッターで裁断して、二つ折り又は三つ折りの圧着はがきが完成する。【選択図】      図３
2007160623.tif 000002
【特許請求の範囲】
【請求項１】
接着剤塗布部と、パンチ孔形成部と、折り曲げ部と、貼り付け部と、
を一体に有することを特徴とするファイル用パンチ孔作成機能付き圧着はがき作製装置。
【請求項２】
前記接着剤塗布部の前段構成の印刷部としてモノクロ又はフルカラーの画像形成部を更に備える、ことを特徴とする請求項１記載のファイル用パンチ孔作成機能付き圧着はがき作製装置。
【請求項３】
圧着はがき用紙のはがき本体またはその付随部のファイル用パンチ孔を必要とする位置の２箇所に、パンチ孔の円周に相当するミシン目又は半抜きの抜き形を形成する、ことを特徴とする請求項１又は２記載のファイル用パンチ孔作成機能付き圧着はがき作製装置。
【請求項４】
前記ミシン目又は半抜きの抜き形を形成された面に対向して張り合わせられる面の前記ミシン目又は半抜きの抜き形に対応する位置に、他の位置とは異なる強い接着強度の接着剤を塗布する、ことを特徴とする請求項３記載のファイル用パンチ孔作成機能付き圧着はがき作製装置。
【請求項５】
三つ折り圧着はがき用紙の郵便はがきの文字を印刷されたはがき本体部に張り合わせられる付随部に形成され、前記はがき本体部に張り合わせられたとき前記郵便はがきの文字を露出させて視認可能にするための複数の孔を、それら複数の孔のうちの所定の２箇所の孔の間隔が８０ｍｍ±０．５ｍｍになるように形成する、ことを特徴とする請求項１又は２記載のファイル用パンチ孔作成機能付き圧着はがき作製装置。
【請求項６】
圧着部を剥離開放した際に如何なる孔明け器も必要なくそのままファイルの綴じ部に綴じ込み可能な被綴じ部を圧着はがきに形成することを特徴とする被綴じ部付き圧着はがきの作成方法。
【請求項７】
前記被綴じ部はファイル用パンチ孔である、ことを特徴とする請求項６記載の被綴じ部付き圧着はがきの作成方法。
【請求項８】
前記被綴じ部はファイル用パンチ孔に相当する位置に形成されたミシン目又は半抜きの抜き形である、ことを特徴とする請求項６記載の被綴じ部付き圧着はがきの作成方法。
【請求項９】
前記ミシン目又は半抜きの抜き形を形成された面に対向して張り合わせられる面の前記ミシン目又は半抜きの抜き形に対応する位置に、他の位置とは異なる強い接着強度の接着剤を塗布する、ことを特徴とする請求項８記載の被綴じ部付き圧着はがきの作成方法。
【請求項１０】
三つ折り圧着はがき用紙の郵便はがきの文字を印刷されたはがき本体部に張り合わせられる付随部に形成され、前記はがき本体部に張り合わせられたとき前記郵便はがきの文字を露出させて視認可能にするための複数の孔を、それら複数の孔のうちの所定の２箇所の孔の間隔が８０ｍｍ±０．５ｍｍになるように形成する、ことを特徴とする請求項６記載の被綴じ部付き圧着はがきの作成方法。
【発明の詳細な説明】
【技術分野】
【０００１】
本発明は、ファイル用パンチ孔作成機能付き圧着はがき作製装置及び被綴じ部付き圧着はがきの作成方法に関する。
【背景技術】
【０００２】
従来、特定の個人のみへ文字情報を伝達するために、一般に、文字記載物を封書の形態にし、開封後に始めて当該個人が文字情報を確認できるようにしていた。
近年、個人情報保護が厳しく問われるようにもなり、各種事業所等では、例えば、個人の各種データ、成績表、給与明細書等の個人情報は、これを文字記載物の内部の印字箇所に記録して、印字箇所の周縁部もしくは文字記載物の全面を接着や圧着により封筒状やカード状にして配布したりしている。
【０００３】
このうち、はがきサイズのカード状のものは圧着はがきと呼ばれており、通常の郵便はがきと同じ料金で利用できることから、情報提供者側の利便性が高い印字（印刷）情報秘匿システムとして、広告宣伝のダイレクトメール等にも汎用されている。
【０００４】
上記の圧着はがきとしては、現在、Ｖ折り（二つ折り）はがきとＺ折り（三つ折り）はがきが流通している。Ｚ折りはがきは、Ｖ折りはがきよりも多くの情報を印刷できるので、最も普及している圧着はがきであるといえる。
【０００５】
このＺ折り（三つ折り）はがきに限定して、圧着ハガキの中紙（はがき本体部）に印刷してある「郵便はがき」又は「ＰＯＳＴＣＡＲＤ」と印刷された面に折り重ねる付随部側に「郵便はがき」又は「ＰＯＳＴＣＡＲＤ」の印刷文字だけが見える覗き窓をくり抜いた形状のものや、同じく「郵便はがき」又は「ＰＯＳＴＣＡＲＤ」の文字が印刷されている縁領域に対応する付随部側の部分を切り欠いた形状のものが提案されている。（例えば、特許文献１参照。）
また、この提案では、「郵便はがき」又は「ＰＯＳＴＣＡＲＤ」の文字を露出させるための孔を設けることも示唆されている。
【０００６】
文書類に孔を明けるといえば一般的には綴じ込み用のパンチ孔がある。パンチ孔作製装置については、文具の一つに手押し式のパンチ孔明け器があるが、大量のパンチ孔を専門に明ける装置としては各種のものが提案または実用化されている。例えば、ソレノイド式パンチ装置（例えば、特許文献２参照。）、受刃と往復動する円形穿孔刃式カッタ（例えば、特許文献３参照。）などが知られている。
【０００７】
ところで、通常、市場に流通している圧着はがきには、ダイレクトメールのようにすぐに情報価値のなくなるものと、例えば請求書、領収書などのように一定の期間保存を要するものとがある。
【特許文献１】実用新案登録第２６０７６９１号（図３乃至図８）
【特許文献２】特開昭６１−０９４１８０号公報
【特許文献３】特開平０９−０２９６９６号公報
【発明の開示】
【発明が解決しようとする課題】
【０００８】
ところで、上記の圧着はがきにおいて、ダイレクトメールのようなものは、その郵便受取人にとって、圧着面を開封したはがきに記載されている広告品が興味の無いものであれば、開封したはがきは直ちに廃棄される。また、広告品が気に入って購入した場合も、広告品の購入が完了した段階で、はがきは廃棄される。
【０００９】
ところが、請求書、領収書などのように一定の期間保存を要するものは、適宜にファイルに綴じ込んで保存する必要がある。そのように圧着はがきを保存する際には、郵便受取人は、ファイルに綴じ込むためのパンチ孔を市販のパンチを使用して明けてファイル保存する必要があった。
【００１０】
このように、わざわざ市販のパンチではがきにパンチ孔を明けるという手間を掛けなければならないため、手軽にファイル保存ができないことから、ファイリングせずに放置して圧着はがきを紛失する場合が多かった。
【００１１】
それであるにも拘わらず、プリンタや複写機等の事務機のようにファイル用パンチ孔作製機能を付属機能として備えた圧着はがき作製装置は全く見当たらない。
上記特許文献１の「郵便はがき」又は「ＰＯＳＴＣＡＲＤ」の文字を露出させるための覗き孔が設けられた圧着はがきの場合でも、それらの覗き孔は、もともと「郵便はがき」又は「ＰＯＳＴＣＡＲＤ」の文字の配置に合わせた位置に明けられた孔であり、パンチ孔として使用するという思想は全く含まれていない。
【００１２】
本発明の課題は、上記従来の実情に鑑み、郵便受取人が圧着面を開封したはがきをパンチ孔を明ける手数を掛けずにそのままファイリングできる圧着はがきを作成するファイル用パンチ孔作成機能付き圧着はがき作製装置及び被綴じ部付き圧着はがきの作成方法を提供することである。
【課題を解決するための手段】
【００１３】
先ず、第１の発明のファイル用パンチ孔作成機能付き圧着はがき作製装置は、接着剤塗布部と、パンチ孔形成部と、折り曲げ部と、貼り付け部と、を一体に有して構成される。
このファイル用パンチ孔作成機能付き圧着はがき作製装置は、例えば、上記接着剤塗布部の前段構成の印刷部としてモノクロ又はフルカラーの画像形成部を更に備えて構成される。
【００１４】
また、このファイル用パンチ孔作成機能付き圧着はがき作製装置は、例えば、圧着はがき用紙のはがき本体またはその付随部のファイル用パンチ孔を必要とする位置の２箇所に、パンチ孔の円周に相当するミシン目又は半抜きの抜き形を形成するように構成される。
【００１５】
この場合、例えば、上記ミシン目又は半抜きの抜き形を形成された面に対向して張り合わせられる面の上記ミシン目又は半抜きの抜き形に対応する位置に、他の位置とは異なる強い接着強度の接着剤を塗布するように構成してもよい。
【００１６】
また、このファイル用パンチ孔作成機能付き圧着はがき作製装置は、三つ折り圧着はがき用紙の郵便はがきの文字を印刷されたはがき本体部に張り合わせられる付随部に形成され、上記はがき本体部に張り合わせられたとき上記郵便はがきの文字を露出させて視認可能にするための複数の孔を、それら複数の孔のうちの所定の２箇所の孔の間隔が８０ｍｍ±０．５ｍｍになるように形成するように構成される。
【００１７】
次に、第２の発明の被綴じ部付き圧着はがきの作成方法は、圧着部を剥離開放した際に如何なる孔明け器も必要なくそのままファイルの綴じ部に綴じ込み可能な被綴じ部を圧着はがきに形成するようにする。
【００１８】
上記被綴じ部は、例えば、ファイル用パンチ孔であってよく、また、例えば、ファイル用パンチ孔に相当する位置に形成されたミシン目又は半抜きの抜き形であってもよい。
そして、例えば、上記ミシン目又は半抜きの抜き形を形成された面に対向して張り合わせられる面の上記ミシン目又は半抜きの抜き形に対応する位置に、他の位置とは異なる強い接着強度の接着剤を塗布するようにしてもよい。
【００１９】
また、この被綴じ部付き圧着はがきの作成方法では、例えば、三つ折り圧着はがき用紙の郵便はがきの文字を印刷されたはがき本体部に張り合わせられる付随部に形成され、上記はがき本体部に張り合わせられたとき上記郵便はがきの文字を露出させて視認可能にするための複数の孔を、それら複数の孔のうちの所定の２箇所の孔の間隔が８０ｍｍ±０．５ｍｍになるように形成する。
【発明の効果】
【００２０】
本発明によれば、圧着はがきのはがき本体またはその付随部に、予めファイリング用パンチ孔が明けられているか又はパンチ孔ミシン目又は半抜きが形成されているので、その圧着はがき郵便の受取人は、開封したはがきにわざわざパンチ孔を明けるという手間を要さずに、そのままファイルに綴じ込むことが出来て便利である。
【発明を実施するための最良の形態】
【００２１】
以下、本発明の実施の形態を図面を参照しながら説明する。
（実施形態１）
図１は、実施形態１としてのファイル用パンチ孔作成機能付き圧着はがき作製装置の圧着はがき作成工程を示す概念図である。図１に示すように圧着はがき作製装置１は、印刷工程２と圧着はがき作成工程３の２つの処理工程を有する。
【００２２】
なお、作製装置１は、印刷工程２を除いて圧着はがき作成工程３のみを行うものとしてもよい。その場合は、圧着はがき用紙の各面に予め所定の印刷が完了しているものを用いればよい。印刷工程２には、例えば、印刷インクにトナーを用いる電子写真式の画像形成装置を用いることができる。
【００２３】
圧着はがき作成工程３は、接着剤塗布工程４、パンチ孔形成工程５、折り曲げ工程６、及び貼り付け工程７から成る。接着剤塗布工程４には、トナー状の粉体接着剤を用いれば、画像形成装置の画像形成ユニットを接着剤塗布装置として用いることができる。
【００２４】
また、パンチ孔形成工程５には、現在市場にて広く使われている各種のパンチ孔形成装置の中から任意に選択して組み込んで用いることが出来る。また、折り曲げ工程６には、周知の折り曲げ装置を組み込んで用いることが出来る。
【００２５】
また、貼り付け工程７には、圧着に用いる接着剤としてトナー状の粉体接着剤を用いるのでトナー式画像形成装置の定着装置を用いることができる。
但し、通常の画像形成処理の場合と異なり、圧着はがきの場合は対象物が通常より厚いので、加熱及び加圧を通常の画像形成処理の場合よりも強くする必要がある。
【００２６】
図２は、上記の印刷工程２に使用可能な電子写真式の画像形成装置の内部構成を示す断面図である。尚、同図は、例としてタンデム型のカラー画像形成装置を示している。
図２に示すカラー画像形成装置１０は、装置本体前面（図の右方）に開閉給紙トレー１２を備え、下部に用紙カセット１３を着脱自在に備えている。用紙カセット１３には多枚数の用紙Ｐが載置・収容されている。
【００２７】
また、装置本体の後部上面には排紙トレー１４が形成され、そこには上部排紙口１５から排出される画像形成済みの用紙Ｐが積載される。また装置本体の上面側部には、特には図示しないが蓋部の開閉スイッチや液晶表示装置、電源スイッチ、複数のデータ入力キー等からなる操作パネルが配設されている。
【００２８】
また、装置本体内部の略中央には、用紙搬送ベルト（以下、単に搬送ベルトという）１６が前後に偏平なループ状に配置され、その両端部を駆動ローラ１７と従動ローラ１８に保持されて、図の矢印ａで示す反時計回り方向に循環移動する。
【００２９】
搬送ベルト１６の上方に、４つの画像形成部１９（１９ｍ、１９ｃ、１９ｙ、１９ｋ）が用紙搬送方向（図の右から左方向）に多段式（タンデム型）に並設されている。
上記の画像形成部１９は、現像器内に収容されているトナーの色が異なるだけで、いずれも同一の構造であるので、以下、代表的に画像形成部１９ｙについてのみ各部に符号を付して説明する。
【００３０】
先ず、搬送ベルト１６の上循環部に当接して感光体ドラム２１が配置され、この感光体ドラム２１を取り囲むようにしてクリーナ２２、初期化帯電器２３、光書込ヘッド２４、現像器２５の現像ローラ２６及び搬送ベルト１６を挟んで転写シート２７が配置されている。
【００３１】
画像形成部１９ｍに対応する現像器２５から画像形成部１９ｋに対応する現像器２５まで、各現像器２５には、減法混色の三原色であるＭ（マゼンタ）、Ｃ（シアン）及びＹ（イエロー）の各色トナー並びに文字や画像の黒色部分等の印字に専用されるＫ（ブラック：黒）トナーがそれぞれ収容されている。
【００３２】
上記の搬送ベルト１６は、下循環部の下流側裏面に押接するテンションローラ２８によって常に下方に付勢されて適度の張力を保っており、その下循環部の上流側にはベルトクリーナ２９が配設されている。
【００３３】
この搬送ベルト１６の上循環部の搬送方向上流側には、待機ローラ対３１が配置され、その右方には開閉給紙トレー１２の給紙コロ３２が配設されている。
また、待機ローラ対３１と給紙コロ３２との間から下方には、用紙カセット１３から給紙される用紙Ｐを案内する給紙案内路３３が形成されている。給紙案内路３３には、下方に向かって上部給紙ローラ対３４、両面転送合流路３５、及び下部給紙ローラ対３６が順次配置されている。
【００３４】
その下部給送ローラ対３６の下方に、用紙カセット１３の給紙端が位置しており、この給紙端には、用紙先端案内ローラ３７が配置されている。また、給紙端の上方には本体装置側の給紙コロ３８が配置されている。
【００３５】
一方、搬送ベルト１６の用紙搬送方向下流（図の左方）には、断熱性の匡体内に組み付けられた定着装置３９が配置されている。定着装置３９は、発熱ローラ３１と押圧ローラ４２を備えている。
【００３６】
この定着装置３９の下流には、定着排紙ローラ対４３及び切換フラップ４４が配設されている。この切換フラップ４４は、同図に実線で示す上位置と破線で示す下位置の上下に回動する。
【００３７】
この切換フラップ４４より上には、搬送ローラ対４５及び上方向から前方へ反転する排紙路４６が形成され、排紙路４６の終端は前述した上部排紙口１５を形成しており、ここには上部排紙ローラ対４７が配置されている。
【００３８】
また、切換フラップ４４より下流横方向には後部排紙ローラ対４８が配置されその下流に後部排紙口４９が外部に開口している。
更に、切換フラップ４４の下方には、両面印刷用搬送ユニット５０が配置され、この両面印刷用搬送ユニット５０には、用紙を専ら上流側へ送り戻す送り戻し搬送路５１が、５個の逆搬送ローラ対５２（５２ａ、５２ｂ、・・・、５２ｅ）を備えて配置されている。この送り戻し搬送路５１の終端は、両面転送合流路３５に合流する。
【００３９】
この両面印刷用搬送ユニット５０と用紙カセット１３の間には電装部５３が配置されている。電装部５３には、特には図示しないが、多数の電子部品からなる制御装置が搭載された回路基盤が装着されている。
【００４０】
制御装置は、コントローラ部とエンジン部からなる。コントローラ部は、ＣＰＵ（中央演算処理装置）、ＲＯＭ（読出し専用メモリ）、ＥＥＰＲＯＭ（再書込み可能な読出し用メモリ）、フレームメモリ、イメージデータ転送回路等からなり、ホストコンピュータ等から入力される印刷データを解析し、印字用データを作成してエンジン部に転送する。
【００４１】
エンジン部は、ＣＰＵやＲＯＭ等を備え、入力側にはコントローラ部からのデータや指令信号、不図示の温度センサの出力、用紙検知センサの出力等が入力し、出力側には不図示のモータを駆動するモータドライバ、そのモータの駆動を各部に伝達する駆動系を切り替えるクラッチドライバ、光書込みヘッド２４を上記印字用データに基づいて駆動する印字ドライバ、初期化帯電器２３、転写シート２７、現像ローラ２６等に所定のバイアス電流を供給するバイアス電源ドライバ、定着装置３９のベルト位置を用紙情報に基づいて調整する駆動系のドライバ等が接続されている。エンジン部はコントローラ部からのデータや指令信号、各種のセンサの出力等に基づいて各部を駆動制御する。
【００４２】
続いて上記構成のタンデム型のカラー画像形成装置１０の動作を、上述した図１を再び参照しながら説明する。先ず、図１に示す本体装置１に電源が投入され、使用する用紙の紙質、枚数、印字モード、その他の指定がキー入力あるいは接続するホスト機器からの信号として入力されると印字（印刷）が開始される。
【００４３】
給紙コロ３８が用紙カセット１３に載置収容されている用紙Ｐを一枚取り出し、下部給紙ローラ対３６、両面転送合流路３５、上部給紙ローラ対３４、給紙案内路３３を介して待機ローラ対３１へ給送する。
【００４４】
待機ローラ対３１は回転を一時停止して、その挟持部に用紙Ｐの先端を当接させて用紙の進行を制止し、搬送タイミングを待機する。
駆動ローラ１７が反時計回り方向に回転し、従動ローラ１８が従動して同じく反時計回り方向に回転する。これにより搬送ベルト１６は、上循環部が４個の感光体ドラム２１に当接して全体が反時計回り方向へ循環移動する。
【００４５】
これと共に感光体ドラム２１を中心に配置された諸装置が印字タイミングに合わせて順次駆動される。感光体ドラム２１は時計回り方向に回転し、初期化帯電器２３は、感光体ドラム２１周面に一様な高マイナス電荷を付与し、光書込ヘッド２４は、その感光体ドラム２１周面に画像信号に応じて露光を行って低電位部を形成する。これにより、上記初期化による高マイナス電位部と、露光による低マイナス電位部からなる静電潜像が形成される。
【００４６】
現像ローラ２６は、その静電潜像の低電位部に現像器２５のトナーを転移させて感光体ドラム２１周面上にトナー像を形成（反転現像）する。最上流の画像形成部１９ｍの感光体ドラム２１周面上のトナー像の先端が搬送ベルト１６との対向部に回転搬送されてくるタイミングで、その対向部に用紙Ｐの印字開始位置が一致するように、待機ローラ対３１が回転を開始して用紙Ｐを用紙搬入部へ給送する。
【００４７】
搬送ベルト１６は給送された用紙Ｐを搬送し、これにより、用紙Ｐは画像形成部１９ｍの感光体ドラム２１と転写シート２７により形成されている最初の転写部へ搬送される。転写シート２７は、不図示の転写バイアス電源から出力される転写電流（又は転写電圧）を搬送ベルト１６を介して用紙Ｐに印加する。これにより、感光体ドラム２１上のＭ（マゼンタ）トナー像が用紙Ｐに転写される。
【００４８】
続いて、画像形成部１９ｃの感光体ドラム２１と転写シート２７により形成されている上流から２番目の転写部においてＣ（シアン）トナー像が転写され、更に画像形成部１９ｙの感光体ドラム２１と転写シート２７により形成されている上流から３番目の転写部でＹ（イエロー）トナー像が転写される。そして、画像形成部１９ｋの感光体ドラム２１と転写シート２７により形成されている最下流の転写部でＫ（ブラック）トナー像が順次転写されて４色のトナー像が用紙Ｐ上に塗り重ねられる。
【００４９】
４色のトナー像を重ねて転写された用紙Ｐは、搬送ベルト１６から分離されて定着装置３９内に搬入される。定着装置３９は、発熱ローラ４１と押圧ローラ４２により用紙Ｐを押圧挟持し、下流方向に搬送しながら、用紙Ｐに熱と圧力とを加えてトナー像を紙面に定着させ、後方へ排出する。
【００５０】
定着装置３９から排出された用紙Ｐは、例えば片面印刷の場合には、切換フラップ４４が図の実線で示す下位置に回動しているときは、搬送ローラ対４５に搬送を引き継がれ、排紙路４６に沿って上方に案内され、終端で更に装置前方に反転し、排紙ローラ対４７に挟持されて更に搬送を引き継がれ、上部排紙口１５から画像形成面を下向きにして上部排紙トレー１４上に排出される。
【００５１】
また、切換フラップ４４が図の破線で示す上位置に回動しているときは、後方へほぼ水平に送り出されて排紙ローラ対４８に搬出を引き継がれ、画像形成面を上向きにして後部排紙口４９から機外に排出される。
【００５２】
用紙Ｐが両面印刷の場合は、切換フラップ４４は図の破線位置にあり、用紙Ｐは一旦搬送ローラ対４５に搬送を引き継がれて排紙路４６に沿って上方に案内され、用紙Ｐの後端（図では右方端部）が、搬送ローラ対４５に達したタイミングで停止する。
【００５３】
この停止タイミングは、用紙Ｐの給紙時に不図示の給紙センサによる用紙サイズの検出に基づいて電装部５３の制御装置により搬送ローラ対４５を駆動する例えばステッピングモータ等の駆動パルス数が所定の値に設定されることにより決定される。勿論、搬送ローラ対４５近傍にセンサを設けて、用紙の後端を検出するようにしてもよい。
【００５４】
次いで、搬送ローラ対４５が逆向きに回転を開始して用紙Ｐを送り戻し、用紙Ｐの後端が送り戻し搬送路５１の最初の逆搬送ローラ対５２ａに挟持される。そして、送り戻し搬送路５１を、逆搬送ローラ対５２ｂ、５２ｃ、５２ｄ，５２ｅと順次送り戻され、両面転送合流路３５に合流する。
【００５５】
そして、再び搬送ローラ対３４により搬送されて給紙案内路３３を通過し、反転して画像形成面が下向きになり、画像が未形成の面が上向きになった用紙Ｐの後端が先頭になって待機ローラ対３１に当接して一時停止する。
【００５６】
以下、最初の面（表面）の印字の場合と同様にして用紙の裏面に４色のトナー画像が順次転写され、このトナー画像が定着装置３９により定着されて、上部排紙口１５または後部排紙口４９から機外に排出される。
【００５７】
（実施形態２）
次に、実施形態２として、前述したトナー状の粉体接着剤の材料処方及び具体的な作製方法について説明する。
【００５８】
尚、この粉体接着剤は、秘匿情報印刷面を圧着後の剥離開封時に、反対面への文字移りが発生しない粉体接着剤として開発されたものである。
先ず、結着樹脂として軟化温度１１０±４℃の炭化水素系樹脂（シクロオレフィンとエチレンの共重合体）９０質量％以上、帯電制御剤０．３〜３質量％、ワックス１〜９質量％を用意する。
【００５９】
これらを、ミキサーにて混合し、その混合物を二軸スクリュー混練機にて温度をかけながら混練し、この混練物を冷却し、機械式粉砕機にて粒子径２ｍｍ程度に粉砕し、気流式粉砕機にてさらに微粒子にまで粉砕し、適切な粒子径に分級を行う。
【００６０】
その後、この混練粉砕物を、シリコンオイル又はアルキルジシラザンにて表面処理済みのシリカ微粒子０．１〜５質量％（対混練粉砕品）及びアルミナを外添し、軟化温度１０６℃で、平均粒径（体積Ｄ５０）９．０μｍの第２の粉体接着剤としてのトナー状の透明な粉体接着剤を得る。
【００６１】
（実施形態３）
続いて、圧着はがき用の紙面に宛名、差出人、秘匿情報等の可変情報を印字（印刷、以下同様）し、上記のように作製された粉体接着剤を所定の面に塗布し、所望の位置にパンチ孔等の被綴じ部を形成し、Ｖ折り又はＺ折りし、最後に圧着して、被綴じ部付きの圧着はがきを作成するファイル用パンチ孔作成機能付き圧着はがき作製装置について、実施形態３として以下に説明する。
【００６２】
図３は、実施形態３としての、ファイル用パンチ孔作成機能付き圧着はがき作製装置（以下、単に圧着はがき作製装置という）の具体的内部構成を示す断面図である。尚、図３に示す圧着はがき作製装置５５は、図１に示した印刷工程２と圧着はがき作成工程３を一体化した装置を示している。
【００６３】
すなわち、図３において、印刷工程２の実行部として図２に示したカラー画像形成装置１０の構成を用いているので、図３には、図２の構成と同一機能の構成部分には図２と同一の番号を説明に必要な代表的部分にのみ付与して示し、その他の部分には新たな番号を付与して示している。
【００６４】
図４(a),(b) は、上記圧着はがき作製装置５５において圧着はがき用として印字に用いられる用紙のサイズを示す図である。
同図(a) はＡ４判の用紙Ｐ−４を示しており、裁断線５６に沿って裁断し、折り線５７に沿って２つに折ると、それぞれ一面が縦１４．８５ｃｍ、横１０．５ｃｍの２通の二つ折り圧着はがきを作製することが出来る。
【００６５】
また、同図(b) はＡ３判の用紙Ｐ−３を示している。この場合は、詳しくは後述するが、折り曲げ工程と裁断工程との兼ね合い上、用紙Ｐ−３の長手方向の一方の端部を予め１０．５ｃｍ切り捨てておく。
【００６６】
そうすると、図４(b) に示すように、裁断線５８に沿って裁断し、二本の折り線５９に沿って３つに折ると、それぞれ縦１４．８５ｃｍ、横１０．５ｃｍの３通の三つ折り圧着はがきを作製することが出来る。
【００６７】
上記の圧着はがきの縦横の寸法は、いずれも郵政法で承認されているはがきの寸法の許容範囲の寸法である。
本例の図３に示した圧着はがき作製装置５５は、印字可能な最大サイズの用紙はＡ３判の用紙であるので、搬送可能な最大用紙幅はＡ３判用紙の横幅すなわち２９．７ｃｍである。
【００６８】
したがって、図４(a),(b) に示す用紙Ｐ−４及び用紙Ｐ−３は、いずれも２９．７ｃｍの端部を搬送方向に向けて、図の矢印ｄで示すように搬送される。
続いて、上記構成の圧着はがき作製装置５５の動作について説明する。尚、以下の説明に当たっては、図２で既に説明した動作と同一な動作については極力簡略に説明する。また、画像形成部１９Ｂには、カラートナーに代わって粉体接着剤が収容されている。
【００６９】
先ず、画像形成部１９Ｂは現像バイアス及び転写バイアスの印加が停止されている（または逆電位のバイアスが印加されている）。これにより、画像形成部１９Ｂによる粉体接着剤の塗布機能は停止している。
【００７０】
この状態で、用紙Ｐ（Ｐ−４又はＰ−３）は、用紙カセット１３又は開閉給紙トレー１２から第１面（表面）を上にして待機ローラ対３１へ給送される。
搬送ベルト１６が反時計回り方向へ循環移動を開始し、４個の画像形成部１９ｍ、１９ｃ、１９ｙ及び１９ｋが、カラートナー像の現像と、その現像トナー像の転写部への回転搬送を順次開始する。
【００７１】
印字タイミングに応じて搬送ベルト１６上に給送された用紙Ｐは、４個の画像形成部１９ｍ、１９ｃ、１９ｙ及び１９ｋの転写部を通過しながら、Ｍ（マゼンタ）トナー像、Ｃ（シアン）トナー像、Ｙ（イエロー）トナー像、及びＫ（ブラック）トナー像と、４色のトナー像を順次塗り重ねられる。
【００７２】
４色のトナー像を重ねて転写された用紙Ｐは、搬送ベルト１６から分離されて定着装置３９内に搬入され、熱と圧力とを加えられてトナー像を紙面に定着される。
定着装置３９から排出された用紙Ｐは、両面印刷用搬送ユニット５０の送り戻し搬送路５１に送り戻され、両面転送合流路３５及び給紙案内路３３を通過し、反転して第２面（裏面）を上向きにして、再び搬送ベルト１６上に給送される。
【００７３】
以下、第１面（表面）の印字の場合と同様にして第２面（裏面）に４色のトナー画像を順次重ね転写され、定着装置３９により定着されて両面の印字が完了した用紙Ｐは、再び両面印刷用搬送ユニット５０を介して送り返され、搬送ベルト１６に給送される。
【００７４】
ここで、４つの画像形成部１９（１９ｍ、１９ｃ、１９ｙ、１９ｋ）の駆動が停止され、搬送ベルト１６の用紙搬送方向上流側が下方に回動して上記４つの画像形成部１９の感光体ドラム２１との当接から離脱して印字機能が停止する。
【００７５】
他方、画像形成部１９Ｂにおいて現像バイアス及び転写バイアスの印加が開始され、画像形成部１９Ｂによる粉体接着剤の塗布機能が起動される。
以下、駆動が停止している４つの画像形成部１９を除いて、上記の画像形成の場合と同様に各部が動作して、用紙Ｐの表面（第１面）と裏面（第２面）への粉体接着剤の塗布（用紙Ｐ−４の場合は第１面のみ）が行われ、定着装置３９により粉体接着剤が定着されて塗布が完了した用紙Ｐは、定着排紙ローラ対４３により、パンチ孔形成部６０に送り込まれる。
【００７６】
図５(a),(b) は、パンチ孔形成部６０の構成を示す断面図であり且つその動作状態を示す図である。同図(a),(b) に示すように、パンチ孔形成部６０は、回転軸６１に固定して支持されたカム６２と、パンチ６３と、パンチ保持部６４と、刃受け部６５と、抜き形収容部６６を備えている。
【００７７】
パンチ６３は、パンチ刃本体６７と上部フランジ６８から成り、上部フランジ６８とパンチ保持部６４との間に介装された螺旋ばね６９の押し付勢力により、パンチ６３の上部フランジ６８は常時上方に押し上げられてカム６２に当接している。
【００７８】
この状態で、パンチ刃本体６７の下端部に形成されているパンチ刃は、刃受け部６５から離隔しており、その間に用紙Ｐが挿通可能な間隙が形成されている。
パンチ孔形成部６０を通過する用紙Ｐは、所定の位置で一時停止すると同時に、同図(b) に示すように、回転軸６１と共にカム６２が回転し、カムの凸部でパンチ刃本体６７の上部フランジ６８を押圧する。
【００７９】
これにより、パンチ刃本体６７は、螺旋ばね６９の押し付勢力に抗して押し下げられ、刃受け部６５と協働して用紙Ｐにパンチ孔を打ち抜く。打ち抜かれた抜き形Ｐ−１は抜き形収容部６６に収容される。
【００８０】
尚、上記のように用紙Ｐに形成されるパンチ孔の態様については詳しくは後述する。また、上記のパンチ孔形成部６０は、定着装置３９の下流に配置すると限ることなく、用紙先端案内ローラ３７から待機ローラ対３１までの間の給紙案内路中であればどこにでも配置することができる。
【００８１】
図３に戻り、上記のように所定の箇所にパンチ孔を形成された用紙Ｐは、続いて折込部７０の給紙路７１に搬入される。
折込部７０には、給紙路７１の用紙搬送方向下流側に、一次搬送ローラ７２、一次二次搬送ローラ７３、折込板７４を備えた一次折込装置７５、一次引き込み路７６、二次三次搬送ローラ７７、三次搬送ローラ７８、折込み兼案内板７９を備えた二次折込装置８１、二次引き込み路８２、折り上がり搬送路８３が設けられている。
【００８２】
図６(a) 〜(e) は、図４(a) に示したＡ４判の用紙Ｐ−４が二つに裁断される前の段階で、二つ折りにされるＶ折り圧着はがきの折り曲げ方法を示す図である。
まず、図６(a) の矢印ｅに示すように、用紙Ｐ−４は、折込部７０の給紙路７１に搬入される。そこで、一次搬送ローラ７２と一次二次搬送ローラ７３が一対となって、用紙Ｐ−４を把持して回転し、図６(b) に示すように、用紙Ｐ−４を一次引き込み路７６に送り出すように動作する。
【００８３】
一次折込装置７５は、図６(b) に示すように給紙路７１と一次引き込み路７６間に張り渡された用紙Ｐ−４の折り線５７（図４(a) 参照）を、図６(c) に示すように折込板７４を突き出して、一次二次搬送ローラ７３と二次三次搬送ローラ７７との対向部に折り込む。
【００８４】
続いて図６(d) に示すように、一次二次搬送ローラ７３と二次三次搬送ローラ７７が一対となって、用紙Ｐ−４の上記折り込まれた先端を把持して回転し、用紙Ｐ−４を二次引き込み路８２方向に送り出すように動作する。
【００８５】
その用紙Ｐ−４の上記折り込まれた先端が、二次三次搬送ローラ７７と三次搬送ローラ７８との対向部をやや過ぎたタイミングで、二次折込装置８１が折込み兼案内板７９を突き出して、用紙Ｐ−４の折り込まれて突き出された先端を、二次三次搬送ローラ７７と三次搬送ローラ７８との対向部方向に案内する。
【００８６】
その用紙Ｐ−４の折り込まれて突き出された先端を、二次三次搬送ローラ７７と三次搬送ローラ７８が一対となって挟持して回転する。これにより、図６(e) に示すように、用紙Ｐ−４は、折り込み先端部分から後続部分が二つ折りに重ねられながら折り上がり搬送路８３に送り出される。
【００８７】
図７(a) 〜(e) は、図４(b) に示したＡ３判の用紙Ｐ−３が三つに裁断される前の段階で、三つ折りにされるＺ折り圧着はがきの折り曲げ方法を示す図である。
まず、図７(a) は、図６(a) 〜(d) の場合と同様に２つ折りのところまで進行した状態を示している。
【００８８】
この後、一次搬送ローラ７２と一次二次搬送ローラ７３が一対となって用紙Ｐ−３の後部を送り出し、さらに一次二次搬送ローラ７３と二次三次搬送ローラ７７が一対となって、紙Ｐ−３の上記二つ折り部分を把持して回転し、図７(b) に示すように、用紙Ｐ−３を二次引き込み路８２方向に送り出す。
【００８９】
その用紙Ｐ−３の上記二つに折り込まれた一枚目Ｐ−３−１と二枚目Ｐ−３−２の合わせ部分Ｐ−３−１２が二次三次搬送ローラ７７と三次搬送ローラ７８との対向部にきたタイミングで、図７(c) に示すように、二次折込装置８１が折込み兼案内板７９を突き出して、用紙Ｐ−３の最後部の３枚目Ｐ−３−３を織り込む。
【００９０】
二次三次搬送ローラ７７と三次搬送ローラ７８が一対となって、図７(d) に示すように用紙Ｐ−３の最後部の３枚目Ｐ−３−３が折り込まれて三重となって突き出された３つ折り部分を挟持して回転する。
【００９１】
これにより、図７(e) に示すように、用紙Ｐ−３は、二次三次搬送ローラ７７と三次搬送ローラ７８とにより三つ折りにされながら、折り上がり搬送路８３に送り出される。
図３に戻り、上記のように折り上がり搬送路８３に送り出された二つ折りの用紙Ｐ−４又は三つ折りの用紙ｐ−３は、ただちに圧着装置８４に搬入され、熱を圧力とを加えられて圧着される。
【００９２】
圧着装置８４で二つ折り又は三つ折で圧着された用紙Ｐ−４又はＰ−３は、搬出ローラ対８５により圧着装置８４から搬出されながら、搬出ローラ対８５の直後に配置されている刃付きローラ８６及び圧接ローラ８７から成るスプリッター（スプリット型カッター装置）により２つに裁断（図４(a),(b) の裁断線５６又は５８参照）され、二つ折り又は三つ折りの圧着はがきとなって完成された状態で排出ローラ対８９に搬送を引き継がれ、側面排出口９１から機外に排出される。
【００９３】
（実施形態４）
次に、上述したパンチ孔形成部６０により用紙Ｐ（Ｐ−４又はＰ−３）に形成されるパンチ孔の態様について、実施形態４として説明する。
【００９４】
図８(a),(b) は、実施形態４としてのパンチ孔の態様を示すために、完成した圧着はがきを展開して示す図である。同図(a) はＶ折り（二つ折り）圧着はがき示し、同図(b) はＺ折り（三つ折り）圧着はがきを示している。
【００９５】
同図(a) に示すＶ折り圧着はがき９２（Ｐ−４）は、はがき本体９３の上辺近傍に「郵便はがき」の文字が印刷されている。そして、はがき本体９３の一方の側辺９４に連設されている付随部９５には、その上辺近傍に２個のパンチ孔９６が形成されている。
【００９６】
このＶ折り圧着はがき９２は、図の向う側の面に剥離可能な接着剤を塗布され、はがき本体９３と付随部９５との連設辺（はがき本体９３の一方の側辺９４）を山折りにされ、上記の接着剤塗布面が圧着され裁断されて圧着はがきとして完成したものを剥離して展開したものである。
【００９７】
また、同図(b) に示すＺ折り圧着はがき９７は、はがき本体９８の一方の側辺９９に連設されている付随部１０１の連設辺との対向辺１０２の近傍に２個のパンチ孔９６が形成されている。そして、はがき本体９８の一方の付随部１０１との連設辺（はがき本体９８の一方の側辺９９）近傍に「郵便はがき」の文字が印刷されている。
【００９８】
そして、はがき本体９８の他方の側辺１０３に連設されている他方の付随部１０４には、その連設辺との対向辺１０５の近傍に５個の覗き孔１０６が形成されている。
このＺ折り圧着はがき９７も、表裏の各二面又は各一面に剥離可能な接着剤を塗布され、はがき本体９８の一方の側辺９９が山折りされ、他方の側辺１０３が谷折りされて圧着され裁断されて圧着はがきとして完成したものを剥離して展開したものである。
【００９９】
剥離して展開する前の圧着時には、すなわち圧着はがきとして完成状態にあるときは、はがき本体９８に印刷されている「郵便はがき」の文字が、このはがき本体９８の面に圧着された付随部１０４の上記の５個の覗き孔１０６内に露出するようになっている。
【０１００】
上記Ｖ折り圧着はがき９２又はＺ折り圧着はがき９７のいずれにおいても、２個のパンチ孔９６は、パンチ孔の規格に沿って、孔の中心から中心までの孔の配置間隔ａは８０ｍｍ±０．５ｍｍ、孔の直径は６ｍｍ±０．５ｍｍ、用紙の縁から孔の中心までの距離つまり孔の配置奥行きｃは１２ｍｍ±１ｍｍである。
【０１０１】
このように、はがき本体の付随部側に、パンチ孔を明けて圧着はがきを作成するので、上記いずれかの圧着はがきの郵便受取人は、開封したはがきにわざわざパンチ孔を明けるという手間を要さずに、そのままファイルに綴じ込むことが出来る。
【０１０２】
上記実施形態１では、はがき本体の付随部側にパンチ孔を明けて、付随部に綴じ代部を設けているが、綴じ代部はこれに限ることなく、はがき本体側に設けることもできる。
また、はがき本体に孔を明けることにより本体形状を損なうのを望まない場合、例えばパンチ孔に代わるミシン目や半抜きによる綴じ孔部をはがき本体に形成すればよい。
【０１０３】
（実施形態５）
そのように、はがき本体の形状を損なうことなく、綴じ代部をはがき本体側に設けて、圧着はがき郵便の受取人が開封したはがきにわざわざパンチ孔を明けるという手間を要さずに、はがき本体部を綴じ部として、そのままファイルに綴じ込むことが出来る圧着はがきの態様を、実施形態５として以下に説明する。
【０１０４】
図９(a),(b) は、実施形態５としてのパンチ孔に代わる抜き形の態様を示すために完成した圧着はがきを展開して示す図である。同図(a) はＶ折り（二つ折り）圧着はがきを示し、同図(b) はＺ折り（三つ折り）圧着はがきを示している。
【０１０５】
図９(a) に示すＶ折り圧着はがき１０７は、上辺近傍に「郵便はがき」の文字が印刷されているはがき本体１０８の付随部１０９との連設辺１１１の対向辺１１２の近傍に２個のパンチ孔の円周に相当するミシン目の抜き形１１３が形成されている。
【０１０６】
このＶ折り圧着はがき１０７も、図の向う側の面に剥離可能な接着剤を塗布され、はがき本体１０８と付随部１０９との連設辺１１１を山折りにされ、上記の接着剤塗布面が圧着され裁断されて完成した圧着はがきを展開したものである。
【０１０７】
また、同図(b) に示すＺ折り圧着はがき１１４は、はがき本体１１５の上辺近傍に２個のパンチ孔の円周に相当するミシン目の抜き形１１３が形成されている。そして、はがき本体１１５の一方の付随部１１６との連設辺１１７の近傍に「郵便はがき」の文字が印刷されている。
【０１０８】
また、はがき本体１１５の他方の付随部１１８との連設辺１１９の対向辺１２１の近傍に、５個の覗き孔１２２が形成されている。
このＺ折り圧着はがき１１４も、表裏の各二面又は各一面に剥離可能な接着剤を塗布され、はがき本体１１５の一方の付随部１１６との連設辺１１７が山折りされ、他方の付随部１１８との連設辺１１９が谷折りされて圧着され裁断されて完成した圧着はがきを剥離して展開したものである。
【０１０９】
この場合も、圧着はがきとして完成した状態で、はがき本体１１５に印刷されている「郵便はがき」の文字が、このはがき本体１１５の面に圧着された付随部１１８の上記の５個の覗き孔１２２内に露出するようになっている。
【０１１０】
尚、上記Ｖ折り圧着はがき１０７又はＺ折り圧着はがき１１４のいずれにおいても、抜き形１１３が形成する孔の配置間隔、孔の直径、及び孔の配置奥行きの寸法は図８(a),(b) に示したパンチ孔９６の場合と同一である。
【０１１１】
また、この抜き形１１３は、ミシン目に限ることなく、半抜きであってもよい。いずれの場合も、パンチ孔形成部６０に代えて、丸ミシン目形成装置あるいは半抜き装置を設置すればよい。
【０１１２】
このように、本例では、はがき本体側に、パンチ孔の円周に対応する抜き形１１３が、パンチ孔の規格に沿った孔の配置間隔、孔の直径、及び孔の配置奥行きの寸法で形成されている。
【０１１３】
これにより、上記いずれかの圧着はがきを受け取った郵便受取人は、開封したはがきにわざわざパンチ孔を明けるという手間を要さずに、抜き形１１３の部分をファイルの綴じ具に当てるだけで綴じ孔が自動的に開いて、綴じ具を抜き形１１３の部分に挿通させることができ、パンチ孔の場合と同様に、開封はがきを、そのままファイルに簡単に綴じ込むことが出来る。
【０１１４】
なお、上記のように、圧着はがき用紙にパンチ孔の円周に対応する抜き形１１３が形成されている場合には、圧着用接着剤の塗布方法に特別な塗布方法を付加することによって、郵便受取人が抜き形１１３の部分をファイルの綴じ具に当てる前に、抜き形１１３で形成されている綴じ孔を自動的に開く方法がある。以下、これについて、説明する。
【０１１５】
図１０(a) 〜(d) は、上記のようにパンチ孔の円周に対応する抜き形１１３が形成されている場合における圧着用接着剤の塗布方法の一例を説明する図である。なお、図１０(a) は図９(a) のＶ折り圧着はがき１０７を示しており、図１０(c) は図９(b) のＺ折り圧着はがき１１４を示している。
【０１１６】
図１０(a) において、はがき本体１０８の付随部１０９との連設辺１１１を山折りにして、はがき本体１０８と付随部１０９とを圧着するに際して、付随部１０９の圧着用接着剤の塗布面の、圧着時において抜き形１１３に圧着される抜き形との対応部１２３に、接着剤の接着性がより強力になるように接着剤を塗布するようにする。
【０１１７】
これは図３に示した画像形成部１９Ｂの光書込ヘッド２４に対する制御部からの制御により、抜き形との対応部１２３に塗布すべき接着剤量が、他のベタ印字部分よりも厚くなるように感光体ドラム２１への露光量を制御することによって実現する。
【０１１８】
これにより、このＶ折り圧着はがき郵便の受取人が、圧着部面を剥離して開封するとき、付随部１１０９の抜き形との対応部１２３に塗布された接着性の強力な接着剤により、抜き形１１３が、図１０(b) の矢印ｄ及びｅに示すように、付随部１０９側に貼り付いたまま付随部１０９側に移動する。これにより、はがき本体１０８の抜き形１１３の部分にパンチ孔１１３´が自動的に形成される。
【０１１９】
また、図１０(c) においても同様に、はがき本体１１５の他方の付随部１１８との連設辺１１９を谷折りにして、はがき本体１１５と付随部１１８とを圧着するに際して、付随部１１８の圧着用接着剤の塗布面の、圧着時において抜き形１１３に圧着される抜き形との対応部１２３に、接着剤の接着性がより強力になるように接着剤を塗布するようにする。
【０１２０】
これにより、このＺ折り圧着はがき郵便の受取人が、圧着部面を剥離して開封するとき、付随部１１８の抜き形との対応部１２３に塗布された接着性の強力な接着剤により、抜き形１１３が、図１０(d) の矢印ｆ及びｇに示すように、付随部１１８側に貼り付いたまま付随部１１８側に移動する。これにより、はがき本体１１５の抜き形１１３の部分にパンチ孔と同様の綴じ孔１１３´が自動的に形成される。
【０１２１】
（実施形態６）
図１１(a) は、実施形態６としてのＺ折り圧着はがきのパンチ孔の態様を示すために、完成したＺ折り圧着はがきを展開して示す図であり、同図(b) は展開前の完成状態のＺ折り圧着はがきを示す図である。
【０１２２】
同図(a) に示すＺ折り圧着はがき１２４は、はがき本体１２５と一方の付随部１２６との連設辺１２７の近傍に「郵便はがき」の文字が印刷されている。
また、はがき本体１２５の他方の付随部１２８との連設辺１２９の対向辺１３１の近傍に、５個の孔１３２（１３２−１〜１３２−５）が形成されている。これら５個の孔１３２のうち両外側の孔１３２−１と１３２−５は、覗き孔を兼ねたパンチ孔である。
【０１２３】
他の３個の孔１３２−２〜１３２−４は、覗き専用の孔であり、パンチ孔１３２−１と１３２−５の間に、そのパンチ孔１３２−１及び１３２−５と並んで形成されている。
このＺ折り圧着はがき１２４の表裏の各二面又は各一面に剥離可能な接着剤を塗布され、はがき本体１２５の一方の付随部１２６との連設辺１２７が山折りされ、他方の付随部１２８との連設辺１２９が谷折りされて圧着され裁断されて、投函前の圧着はがきとして完成したとき、図１１(b) に示すように、上記はがき本体１２５に印刷された「郵便はがき」の文字が、パンチ孔１３２−１と１３２−５及び覗き孔１３２−２〜１３２−４内に露出するように配置されている。
【０１２４】
上記パンチ孔１３２−１と１３２−５及び覗き孔１３２−２〜１３２−４の、孔の直径、及び孔の配置奥行きの寸法は、図８(a),(b) に示したパンチ孔９６の場合と同一であり、パンチ孔１３２−１と１３２−５の孔の配置間隔も図８(a),(b) に示したパンチ孔９６の場合と同一である。
【図面の簡単な説明】
【０１２５】
【図１】実施形態１としてのファイル用パンチ孔作成機能付き圧着はがき作製装置の圧着はがき作成工程を示す概念図である。
【図２】圧着はがき作成工程の印刷工程に使用可能な電子写真式の画像形成装置の内部構成を示す断面図である。
【図３】実施形態３としてのファイル用パンチ孔作成機能付き圧着はがき作製装置（圧着はがき作製装置）の具体的内部構成を示す断面図である。
【図４】(a),(b) は実施形態３の圧着はがき作製装置において圧着はがき用として印字に用いられる用紙のサイズを示す図である。
【図５】(a),(b) は実施形態３の圧着はがき作製装置におけるパンチ孔形成部の構成を示す断面図であり且つその動作状態を示す図である。
【図６】(a) 〜(e) は実施形態３における二つ折り圧着はがきの折り曲げ方法を示す図である。
【図７】(a) 〜(e) は実施形態３における三つ折り圧着はがきの折り曲げ方法を示す図である。
【図８】(a),(b) は実施形態４としてのパンチ孔の態様を示すために完成した圧着はがきを展開して示す図である。
【図９】(a),(b) は実施形態５としてのパンチ孔に代わる抜き形の態様を示すために完成した圧着はがきを展開して示す図である。
【図１０】(a) 〜(d) は実施形態５においてパンチ孔の円周に対応する抜き形が形成されている場合における圧着用接着剤の塗布方法の一例を説明する図である。
【図１１】(a) は実施形態６としてのＺ折り圧着はがきのパンチ孔の態様を示すために完成したＺ折り圧着はがきを展開して示す図、(b) は展開前の完成状態のＺ折り圧着はがきを示す図である。
【符号の説明】
【０１２６】
１      ファイル用パンチ孔作成機能付き圧着はがき作製装置
２      印刷工程
３      圧着はがき作成工程
４      接着剤塗布工程
５      パンチ孔形成工程
６      折り曲げ工程
７      貼り付け工程
１０    カラー画像形成装置
１２    開閉給紙トレー
１３    用紙カセット
Ｐ（Ｐ−３、Ｐ−４）  用紙
１４    排紙トレー
１５    上部排紙口
１６    用紙搬送ベルト（搬送ベルト）
１７    駆動ローラ
１８    従動ローラ
１９（１９ｍ、１９ｃ、１９ｙ、１９ｋ）  画像形成部
２１    感光体ドラム
２２    クリーナ
２３    初期化帯電器
２４    光書込ヘッド
２５    現像器
２６    現像ローラ
２７    転写シート
２８    テンションローラ
２９    ベルトクリーナ
３１    待機ローラ対
３２    給紙コロ
３３    給紙案内路
３４    上部給紙ローラ対
３５    両面転送合流路
３６    下部給紙ローラ対
３７    用紙先端案内ローラ
３８    給紙コロ
３９    定着装置
３１    発熱ローラ
４２    押圧ローラ
４３    定着排紙ローラ対
４４    切換フラップ
４５    搬送ローラ対
４６    排紙路
４７    上部排紙ローラ対
４８    後部排紙ローラ対
４９    後部排紙口
５０    両面印刷用搬送ユニット
５１    送り戻し搬送路
５２（５２ａ、５２ｂ、・・・、５２ｅ）  逆搬送ローラ対
５３    電装部
５５    圧着はがき作製装置
５６、５８  裁断線
５７、５９  折り線
６０    パンチ孔形成部
６１    回転軸
６２    カム
６３    パンチ
６４    パンチ保持部
６５    刃受け部
６６    抜き型収容部
６７    パンチ刃本体
６８    上部フランジ
６９    螺旋ばね
Ｐ、Ｐ−３、Ｐ−４  用紙
Ｐ−１  抜き型
７０    折込部
７１    給紙路
７２    一次搬送ローラ
７３    一次二次搬送ローラ
７４    折込板
７５    一次折込装置
７６    一次引き込み路
７７    二次三次搬送ローラ
７８    三次搬送ローラ
７９    折込み兼案内板
８１    二次折込装置
８２    二次引き込み路
８３    折り上がり搬送路
８４    圧着装置
８５    搬出ローラ対
８６    刃付きローラ
８７    圧接ローラ
８９    排出ローラ対
９１    側面排出口
９２    展開したＶ折り（二つ折り）圧着はがき
９３    はがき本体
９４    一方の側辺
９５    付随部
９６    パンチ孔
９７    展開したＺ折り圧着はがき
９８    はがき本体
９９    一方の側辺
１０１  一方の付随部
１０２  連設辺との対向辺
１０３  他方の側辺
１０４  他方の付随部
１０５  連設辺との対向辺
１０６  覗き孔
１０７  展開したＶ折り圧着はがき
１０８  はがき本体
１０９  付随部
１１１  連設辺
１１２  対向辺
１１３  抜き形
１１３´  綴じ孔
１１４  展開したＺ折り圧着はがき
１１５  はがき本体
１１６  一方の付随部
１１７  連設辺
１１８  他方の付随部
１１９  連設辺
１２１  対向辺
１２２  覗き孔
１２３  抜き形との対応部
１２４  展開したＺ折り圧着はがき
１２５  はがき本体
１２６  一方の付随部
１２７  連設辺
１２８  他方の付随部
１２９  連設辺
１３１  対向辺
１３２（１３２−１〜１３２−５）  孔
【図１】
2007160623.tif 000003
【図２】
2007160623.tif 000004
【図３】
2007160623.tif 000005
【図４】
2007160623.tif 000006
【図５】
2007160623.tif 000007
【図６】
2007160623.tif 000008
【図７】
2007160623.tif 000009
【図８】
2007160623.tif 000010
【図９】
2007160623.tif 000011
【図１０】
2007160623.tif 000012
【図１１】
2007160623.tif 000013